(57)【特許請求の範囲】
【請求項１】
支柱を前方に備えたメインフレームと、
前記メインフレームに上端部が回動可能に結合され前記メインフレームをささえ支持する第１支持台と、
一端部は前記メインフレームと回動可能に結合され他端部は前記第１支持台と回動可能に結合され前記メインフレームに対する前記第１支持台の傾斜角度を調節可能であり、他端部は前記第１支持台の上下長さの方向に沿って位置調節可能に脱着結合されるティルティングユニットと、
前記第１支持台の長さ方向に沿って一定長さに貫通されたガイドスロットと、
前記ガイドスロットの縁に沿って前記第１支持台の両面に具備されるとともに前記ガイドスロットの内側面に備えられる保護スリーブと、
を含み、
前記ティルティングユニットの他端部は前記ガイドスロットが形成された長さの内で位置調節でき、
前記保護スリーブは前記第１支持台より高い硬度を持つ材質からなる、
イーゼル。
【請求項２】
支柱を前方に備えたメインフレームと、
前記メインフレームに上端部が回動可能に結合され前記メインフレームをささえ支持する第１支持台と、
一端部は前記メインフレームと回動可能に結合され他端部は前記第１支持台と回動可能に結合され前記メインフレームに対する前記第１支持台の傾斜角度を調節可能であり、他端部は前記第１支持台の上下長さの方向に沿って位置調節可能に脱着結合されるティルティングユニットであって、前記ティルティングユニットは、前記メインフレームに結合された固定片と、一端部が前記固定片に回動可能に結合される本体片と、前記本体片の他端部に回動可能に結合され、前記第１支持台に接触し移動しながら位置調節及び固定可能な調節片と、を含む、ティルティングユニットと、
前記第１支持台の長さ方向に沿って一定長さに貫通されたガイドスロットと、
前記調節片から突き出されて前記ガイドスロットを貫いて端部が露出するスタッドボルトと、
前記スタッドボルトの端部にねじ結合されて脱着可能な調節取っ手と、
前記ガイドスロットの縁に沿って前記第１支持台の両面に具備されるとともに前記ガイドスロットの内側面に備えられる保護部材と、
を含み、
前記保護部材は前記調節片と対面し接触する、
イーゼル。
【請求項３】
前記本体片は前記固定片と前記調節片が相互近接または離隔するように長さの調節ができる、
請求項２に記載のイーゼル。
【請求項４】
前記保護部材は、
前記ガイドスロットの内側面に沿って前記ガイドスロットの内側面に接触固定されるスリーブと、
前記スリーブの一端部縁に沿って延長されて前記第１支持台の一面に接触固定され、前記調節片と対面して接触される第１フランジと、
前記スリーブの他端部縁に沿って延長されて前記第１支持台の他面に接触固定される第２フランジを含む、
請求項２に記載のイーゼル。
【請求項５】
前記保護部材は、
前記第１フランジ上に一定なパターンに突出及び陷沒される第１固定用凹凸部と、
前記調節片上に前記第１固定用凹凸部に対応する形状に形成された第２固定用凹凸部をさらに含み、
前記第１フランジと前記調節片が接触し密着固定される、
請求項４に記載のイーゼル。
【発明の詳細な説明】
【技術分野】
【０００１】
本発明はイーゼルに関し、更に詳しくは勾配角の調節が自在に行えるのはもちろん、調節された勾配角を確実に維持するイーゼルに関する。
【背景技術】
【０００２】
一般的に写真や絵やメニュー用黒板や案内板または画板などを据え置きして多くの人々が見られるようにする用途でイーゼルを活用して来た。
【０００３】
前述のイーゼルは通常、中央と両側に備えられる複数の支持フレームとともに、このような支持フレームの前方に画板支柱が結合され、支持フレームの中で中央に配置されたものの後方に折畳具によって結合される後面支持フレームから構成されるのが普通である。
【０００４】
また、画板支柱は両側の二つの支持フレームと画板支柱に結合ボルトを引き込んだ 後、結合ナットを結合ボルトに締結する。
【０００５】
したがって、画板支柱は使用者の身長に合うように中央の支持フレームを昇降調節し締結した後使う。
【０００６】
しかし、このような一般的なイーゼルは両側の二つの支持フレームに対して後面支持フレームが画板支柱に据え置きされたカンバスなどを含む画具の荷重を全部支持する構造になっている。
したがって、後面支持プレームが画具の荷重に耐えられず両側の二つの支持フレームに対して離れながらイーゼルが倒れたりする問題が発生したりしていた。
【発明の概要】
【発明が解決しようとする課題】
【０００７】
本発明は前記のような問題点を改善するためになされたものであって、勾配角の調節が自在に行えることはもちろん、調節された勾配角を確実に維持するイーゼルを提供するためのものである。
【課題を解決するための手段】
【０００８】
前記のような目的を果たすために、本発明は支柱を前方に備えたメインフレームと、前記メインフレームに上端部が回動可能に結合されて前記メインフレームを差し支持する第１支持台と、及び、一端部は前記メインフレームに回動可能に結合されて他端部は前記第１支持台に回動可能に結合され前記メインフレームに対する前記第１支持台の傾斜角度を調節可能であり、他端部は前記第１支持台の上下の長さ方向 に沿って位置調節可能に脱着結合されるティルティングユニットを含むことを特徴とするイーゼルを提供することができる。
【０００９】
ここで、前記イーゼルは、前記第１支持台の長さ方向に沿って一定な長さに貫通されたガイドスロットをさらに含み、前記ティルティングユニットの他端部は前記ガイドスロットが形成された長さの内に位置調節できることを特徴とする。
【００１０】
この時、前記ティルティングユニットは、前記メインフレームに結合された固定片と、一端部が前記固定片に回動可能に結合される本体片と、前記本体片の他端部に回動可能に結合され、前記第１支持台に接触し移動しながら位置調節及び固定可能な調節片を含むことを特徴とする。
【００１１】
そして、前記イーゼルは、前記第１支持台の長さ方向に沿って一定長さに貫通されたガイドスロットと、前記調節片から突き出されて前記ガイドスロットを貫いて端部が露出するスタッドボルトと、前記スタッドボルトの端部にねじ結合されて脱着可能な調節取っ手をさらに含むことを特徴とする。
【００１２】
そして、前記イーゼルは、前記ガイドスロットの縁に沿って前記第１支持台の両面に具備されるとともに前記ガイドスロットの内側面に備えられる保護スリーブをさらに含み、前記保護スリーブは前記第１支持台より高い硬度を持つ材質からなることを特徴とする。
【００１３】
そして、前記本体片は前記固定片と前記調節片が相互近接または離隔するように長さの調節ができたことを特徴とする。
【００１４】
そして、前記イーゼルは、前記ガイドスロットの縁に沿って前記第１支持台の両面に具備されるとともに前記ガイドスロットの内側面に備えられる保護部材をさらに含み、前記保護部材は前記調節片と対面し接触されることを特徴とする。
【００１５】
そして、前記保護部材は、前記ガイドスロットの内側面に沿って前記ガイドスロットの内側面に接触固定されるスリーブと、前記スリーブの一端部縁に沿って延長され前記第１支持台の一面に接触固定され、前記調節片と対面して接触される第１フランジと、前記スリーブの他端部縁に沿って延長されて前記第１支持台の他面に接触固定される第２フランジを含むことを特徴とする。
【００１６】
また、前記保護部材は、前記第１フランジ上に一定なパターンに突出及び陷沒される第１固定用凹凸部と、前記調節片上に前記第１固定用凹凸部に対応する形状に形成された第２固定用凹凸部をさらに含み、前記第１フランジと前記調節片が接触して密着固定されることを特徴とする。
【発明の効果】
【００１７】
前記のような構成の本発明によれば、メインフレームと第１支持台に両端部が回動可能にそれぞれ結合され、第１支持台の長さ方向に沿って移動可能であり位置調節及び固定が可能なティルティングユニットにより安定的に絵具や据え置き対象物の荷重を分散支持することができることは勿論、勾配角調節が自在に行えて、調節された勾配角を確実に維持することができるようになる。
【図面の簡単な説明】
【００１８】
【図１】本発明の一つの実施例によるイーゼルの全体的な構造を現わした斜視図で、図１の左側は本発明の主要部であるティルティングユニットの外観を現わした部分拡大斜視図。
【図２】図１のＡ視点から眺めたもので、本発明の一つの実施例によるイーゼルの主要部であるティルティングユニットがメインフレーム及び第１支持台に結合された構造及び作動状態を現わした部分断面概念図。
【図３】本発明の他の実施例によるイーゼルの主要部であるティルティングユニットがメインフレーム及び第１支持台に結合された構造を現わした部分拡大斜視図。
【図４】図１のＡ視点から眺めたもので、本発明の他の実施例によるイーゼルの主要部であるティルティングユニットがメインフレーム及び第１支持台と結合された構造及び作動状態を現わした部分断面概念図。
【発明を実施するための形態】
【００１９】
本発明の利点及び特徴、そしてそれらを果たす方法は添付される図面と共に詳細に後述される実施例を参照すれば明確になるでしょう。
【００２０】
しかし、本発明は以下で開示される実施例に限定されるのではなく互いに違う多様な形態に具現されるでしょう。
【００２１】
本明細書で見た実施例は本発明の開示を完全にさせて、本発明が属する技術分野で通常の知識を持った者に発明の範疇を完全に知らせてくれるために提供されるものである。
【００２２】
そして本発明は請求項の範疇によって定義されるだけである。
【００２３】
したがって、いくつかの実施例で、よく知られた構成要素、よく知られた動作及びよく知られた技術は本発明が曖昧に解釈されることを避けるために具体的に説明しない。
【００２４】
また、明細書全体にかけて同一参照符号は同一構成要素を指称し、本明細書で使われた（言及された）用語は実施例を説明するものあり本発明を制限しようとするのではない。
【００２５】
本明細書で、単数型は文句から特別に言及しない限り複数型も含み、‘含み（または、具備)する’に言及された構成要素及び動作は一つ以上の他の構成要素及び動作の存在または追加を排除しない。
【００２６】
他の定義がなければ、本明細書で使われるすべての用語（技術及び科学的用語を含み)は本発明が属する技術分野で通常の知識を持った者に共通的に理解されることができる意味で使われることができるでしょう。
【００２７】
また一般的に使われる前もって定義されている用語は定義されていない限り理想的にまたは過度に解釈されない。
【００２８】
以下、添付された図面を参照で本発明の望ましい実施例に対して説明する。
【００２９】
図１は本発明の一つの実施例によるイーゼルの全体的な構造を現わした斜視図で、図１の左側は本発明の主要部であるティルティングユニットの外観を現わした部分拡大斜視図である。
【００３０】
そして、図２は図１のＡ視点から眺めたもので、本発明の一つの実施例によるイーゼルの主要部であるティルティングユニットがメインフレーム及び第１支持台に結合された構造及び作動状態を現わした部分断面概念図である。
【００３１】
参照とし、図２で説明していない符号３１１はスクリューなどのような固定具を現わす。
【００３２】
本発明は図示のようにメインフレーム１００と第１支持台２００の間にティルティングユニット３００が結合された構造であることが把握できる。
【００３３】
メインフレーム１００は支柱１０１を前方に備えたものであり、支柱１０１には写真や絵やメニュー用黒板や案内板または画板などの据え置き対象物たちを据え置きすることができる。
【００３４】
第１支持台２００はメインフレーム１００に上端部が回動可能に結合されメインフレーム１００をささえ支持するものであり、メインフレーム１００及び支柱１０１に据え置きされた据え置き対象物の荷重を分散支持するためのものである。
【００３５】
ティルティングユニット３００は、一端部はメインフレーム１００と回動可能に結合され他端部は第１支持台２００と回動可能に結合されメインフレーム１００に対する第１支持台２００の傾斜角度を調節可能であり、他端部は第１支持台２００の上下の長さ方向に沿って位置調節可能に脱着結合されるものである。
【００３６】
本発明は前記のような構成の実施例の適用が可能であり、次のような多様な実施例の適用も可能であることは勿論である。
【００３７】
メインフレーム１００は図１を参照すれば、上下長さの方向に支柱１０１の高さの調節が可能に備えられる中心バー１１０と、中心バー１１０の左、右両側に下部に行くほど徐々に広くなるように配置され中心バー１１０に対し一定角度に傾斜を成す一対の第２支持台１２０、１２０を含む構造であることが把握できる。
【００３８】
したがって、第１支持台２００の上端部は中心バー１１０に回動可能に結合され、後述するティルティングユニット３００の一端部は中心バー１１０に回動可能に結合される。
【００３９】
また、メインフレーム１００は、メインフレーム１００の構造的強度を向上できるように、中心バー１１０の上下の長さ方向に沿って少なくとも一つ以上配置され中心バー１１０と直交を成し、両端部は一対の第２支持台１２０、１２０と繋がれる連結バー１３０をさらに備えたほうが望ましい。
【００４０】
一方、本発明は後述するティルティングユニット３００の他端部が位置調節されることができるように、第１支持台２００の長さ方向に沿って一定の長さに貫通されたガイドスロット２０１をさらに具備し、後述するティルティングユニット３００の他端部がガイドスロット２０１が形成された長さの内で位置調節される。
【００４１】
一方、ティルティングユニット３００はおよそ、メインフレーム１００に結合された固定片３１０と、一端部が固定片３１０に回動可能に結合される本体片３２０と、本体片３２０の他端部に回動可能に結合され、第１支持台２００に接触し移動しながら位置調節及び固定可能な調節片３３０を含む構造であることが把握できる。
【００４２】
ここで、調節片３３０は図２のように調節片３３０から突き出してガイドスロット２０１を貫いて端部が露出するスタッドボルト３３１と、スタッドボルト３３１の端部にねじ結合されて脱着可能な調節取っ手３４０を含む構造の実施例を適用することもできることは勿論である。
【００４３】
この時、調節取っ手３４０は調節片３３０側に突き出して内周面にねじ山が形成されてスタッドボルト３３１と締結されるネック部３４１をさらに含み、ネック部３４１の直径は第１支持台２００に接触固定された状態を維持するようにガイドスロット２０１の幅より大きいことが望ましい。
【００４４】
一方、本発明は図３及び図４のように保護部材５００を含み第１支持台２００の構造的強度を維持しながら摩耗を防止することもできることは勿論である。
【００４５】
参照として、図３は本発明の他の実施例によるイーゼルの主要部であるティルティングユニットがメインフレーム及び第１支持台に結合された構造を現わした部分拡大斜視図であり、図４は図１のＡ視点から眺めたものであり、本発明の他の実施例によるイーゼルの主要部であるティルティングユニットがメインフレーム及び第１支持台に結合された構造及び作動状態を現わした部分断面概念図である。
【００４６】
保護部材５００は通常メインフレーム１００と第１支持台２００が木材からなるイーゼルの場合活用されることができるはずであり、具体的にはガイドスロット２０１の縁に沿って第１支持台２００の両面に具備されるとともにガイドスロット２０１の内側面に備えられる。
【００４７】
したがって、保護部材５００は前述のように第１支持台２００の構造的強度を維持しながら調節片３３０の繰り返される位置調節及び固定による第１支持台２００の摩耗を防止するように、第１支持台２００より高い硬度を持つ材質でなることが望ましい。
【００４８】
一方、本体片３２０は図３及び図４のように固定片３１０と調節片３３０が相互近接または離隔するように長さの調節が可能に構成されることも勿論である。
【００４９】
すなわち、本体片３２０は固定片３１０と回動可能に結合された第１分離片３２１と、調節片３３０と回動可能に結合された第２分離片３２２が締結具３２３によって接触固定されるものである。
【００５０】
ここで、本体片３２０は図４を参照すれば、第１分離片３２１の長さ方向に沿って一定の長さに貫通された第１調節スロット３２１ｓと、第２分離片３２２の長さ方向に沿って一定長さに貫通された第２調節スロット３２２ｓをさらに含み、締結具３２３は第１調節スロット３２１ｓ及び第２調節スロット３２２ｓを同時に貫いて脱着結合され第１分離片３２１と第２分離片３２２を接触固定させるようになる。
【００５１】
この時、第１分離片３２１と第２分離片３２２を含む本体片３２０の円滑な長さの調節のためには、第１調節スロット３２１ｓと第２調節スロット３２２ｓが一直線上に配置されなければならないことは勿論である。
【００５２】
また、締結具３２３はヘッド部３２３ｂｈが第２分離片３２２の上面に掛けられ固定されるボルト３２３ｂと、ボルト３２３ｂにねじ結合され第１分離片３２１の底面に掛けられ固定されるナット３２３ｎを含む構造であることが把握できる。
したがって、使用者が本体片３２０の長さの調節をすることは次のような手順で行うことができる。
【００５３】
まず、使用者はボルト３２３ｂを第１調節スロット３２１ｓ及び第２調節スロット３２２ｓを同時に貫通されるようにし、ボルト３２３ｂにナット３２３ｎを仮に締結しておく。
【００５４】
以後、ボルト３２３ｂにナット３２３ｎが仮に締結されている状態で、使用者は第１調節スロット３２１ｓと第２調節スロット３２２ｓが形成された一定長さの範囲内で第１分離片３２１と第２分離片３２２を適切に移動させた後、ナット３２３ｎをボルト３２３ｂに完全に締結することで長さの調節及び維持が可能になる。
【００５５】
一方、本発明は前述の保護部材５００が調節片３３０と対面し接触固定されることが分かる。
【００５６】
前述の保護部材５００はガイドスロット２０１の内側面に沿ってガイドスロット２０１の内側面に接触固定されるスリーブ５１０と、スリーブ５１０の一端部縁に沿って延長され第１支持台２００の一面に接触固定されて、調節片３３０と対面し接触される第１フランジ５２１と、スリーブ５１０の他端部縁に沿って延長されて第１支持台２００の他面に接触固定される第２フランジ５２２を含む。
【００５７】
ここで、保護部材５００は第１フランジ５２１上に一定なパターンに突出及び陷沒される第１固定用凹凸部５２１ｐと、調節片３３０上に第１固定用凹凸部５２１ｐに対応する形状に形成された第２固定用凹凸部３３０ｐをさらに含むことができる。
【００５８】
したがって、第１フランジ５２１と調節片３３０は、第１固定用凹凸部５２１ｐと第２固定用凹凸部３３０ｐが互いにかみ合うようになることにより接触し密着固定される。
【００５９】
このような、第１固定用凹凸部５２１ｐと第２固定用凹凸部３３０ｐのかみ合い構造は締結具３２３の緩みの防止に助けになる。
【００６０】
以上のように本発明は勾配角調節が自在に行えるのはもちろん、調節された勾配角を確実に維持するイーゼルを提供することを基本的な技術的思想としていることが分かる。
【００６１】
そして、本発明の基本的な技術的思想の範疇内であって当業界の通常の知識を持つ者においては他の多くの変形及び応用も可能なことは勿論である。
【図１】
0006441496.tif 000002
【図２】
0006441496.tif 000003
【図３】
0006441496.tif 000004
【図４】
0006441496.tif 000005